(57)【要約】【課題】  列車通過による繰り返し荷重があっても工事桁としての長期間の使用に耐えられるようにする。【解決手段】  両端部に継ぎ足しブロック（２）を接続して工事桁の横桁として使用し、継ぎ足しブロックを外して道床上のＰＣマクラギ（１）として使用する横桁兼用ＰＣマクラギにおいて、ＰＣマクラギのＰＣ鋼棒（１１）端部にカプラー（１０）を接続し、さらにＰＣ鋼棒（１２）を前記カプラーに継ぎ足して接続し、前記継ぎ足したＰＣ鋼棒を継ぎ足しブロック（２）に挿通し、継ぎ足したＰＣ鋼棒（１２）を継ぎ足しブロック端面または端面より内側で定着するようにしたものである。【選択図】        図３
2006214219.tif 000002
【特許請求の範囲】
【請求項１】
両端部に継ぎ足しブロックを接続して工事桁の横桁として使用し、継ぎ足しブロックを外して道床上のＰＣマクラギとして使用する横桁兼用ＰＣマクラギにおいて、
ＰＣマクラギのＰＣ鋼棒端部にカプラーを接続し、さらにＰＣ鋼棒を前記カプラーに継ぎ足して接続し、前記継ぎ足したＰＣ鋼棒を継ぎ足しブロックに挿通し、継ぎ足したＰＣ鋼棒を継ぎ足しブロック端面または端面より内側で定着することを特徴とする横桁兼用ＰＣマクラギ。
【請求項２】
両端部に継ぎ足しブロックを接続して工事桁の横桁として使用し、継ぎ足しブロックを外して道床上のＰＣマクラギとして使用する横桁兼用ＰＣマクラギを用いた工法において、
継ぎ足しブロックの接続は、ＰＣマクラギのＰＣ鋼棒端部にカプラーを接続し、さらにＰＣ鋼棒を前記カプラーに継ぎ足して接続し、前記継ぎ足したＰＣ鋼棒を継ぎ足しブロックに挿通し、継ぎ足したＰＣ鋼棒を継ぎ足しブロック端面または端面より内側で定着して行うことを特徴とする横桁兼用ＰＣマクラギを用いた工法。
【発明の詳細な説明】
【技術分野】
【０００１】
本発明はＰＣ（プレストレスト・コンクリート）マクラギに継ぎ足しブロックを接続した横桁兼用ＰＣマクラギ及び該ＰＣマクラギを用いた工法に関する。
【背景技術】
【０００２】
本出願人は、両端部に継ぎ足しブロックを装着したＰＣマクラギからなる横桁を主桁間に設置して工事桁とし、工事完了後、主桁と継ぎ足しブロックを撤去し、継ぎ足しブロックを撤去したＰＣマクラギをそのまま道床上のマクラギとして使用する工法を既に提案している（特許文献１）。
【特許文献１】特開２００３−１７１９０１
【発明の開示】
【発明が解決しようとする課題】
【０００３】
特許文献１に開示されている横桁は、ＰＣマクラギの両端に、断面がマクラギと同形状で、鋼板内にコンクリートを充填した継ぎ足しブロックを着脱自在に装着したものである。この継ぎ足しブロックは、ブロックの充填コンクリート内に埋め込んだＰＣ棒や高力ボルトで直接ＰＣマクラギ端部に固着しているが、列車通過による繰り返し荷重でブロックに亀裂が入り、工事桁として疲労寿命が短いという問題があった。
【課題を解決するための手段】
【０００４】
本発明は上記課題を解決しようとするものであり、継ぎ足しブロックとＰＣマクラギ間の十分な接合強度が得られ、列車通過による繰り返し荷重があっても工事桁としての長期間の使用に耐える横桁兼用ＰＣマクラギを提供することを目的とする。
そのために本発明は、両端部に継ぎ足しブロックを接続して工事桁の横桁として使用し、継ぎ足しブロックを外して道床上のＰＣマクラギとして使用する横桁兼用ＰＣマクラギにおいて、
ＰＣマクラギのＰＣ鋼棒端部にカプラーを接続し、さらにＰＣ鋼棒を前記カプラーに継ぎ足して接続し、前記継ぎ足したＰＣ鋼棒を継ぎ足しブロックに挿通し、継ぎ足したＰＣ鋼棒を継ぎ足しブロック端面または端面より内側で定着することを特徴とする。
また、本発明は、両端部に継ぎ足しブロックを接続して工事桁の横桁として使用し、継ぎ足しブロックを外して道床上のＰＣマクラギとして使用する横桁兼用ＰＣマクラギを用いた工法において、
継ぎ足しブロックの接続は、ＰＣマクラギのＰＣ鋼棒端部にカプラーを接続し、さらにＰＣ鋼棒を前記カプラーに継ぎ足して接続し、前記継ぎ足したＰＣ鋼棒を継ぎ足しブロックに挿通し、継ぎ足したＰＣ鋼棒を継ぎ足しブロック端面または端面より内側で定着して行うことを特徴とする。
【発明の効果】
【０００５】
本発明は、ＰＣマクラギのＰＣ鋼棒端部にカプラーを接続し、さらにＰＣ鋼棒を前記カプラーに継ぎ足して接続し、前記継ぎ足したＰＣ鋼棒を継ぎ足しブロックに挿通し、継ぎ足したＰＣ鋼棒を継ぎ足しブロック端面または端面より内側で定着することにより、継ぎ足しブロックをＰＣマクラギに一体的に強固に接合できるので、列車通過による繰り返し荷重があっても工事桁としての長期間の使用に耐えることが可能となる。
【発明を実施するための最良の形態】
【０００６】
以下、本発明の実施の形態について説明する。
図１は本実施形態の工事桁兼用ＰＣマクラギを説明する図である。
ＰＣマクラギ１は道床上で一般に使用される長さ２ｍのマクラギである。工事桁の主桁は建築限界の条件を満たすように２ｍより長い間隔で設置される。そのため、ＰＣマクラギ１の両端に、断面が同形状の継ぎ足しブロック２を接続して横桁とし、これを主桁３に取り付けて工事桁として使用する。
【０００７】
このような継ぎ足しブロックの例を図２により説明する。
図２（ａ）、（ｂ）は鉄筋コンクリート製の継ぎ足しブロックを示しており、図２（ａ）は側面図、図２（ｂ）は正面図である。鉄筋コンクリート製継ぎ足しブロックは、パイプを埋め込むなどしてＰＣマクラギのＰＣ鋼棒と対応する位置に複数の孔（図示の例では４個の孔）５が開けてあり、後述するように、この孔にＰＣ鋼棒を継ぎ足して挿通する。
【０００８】
図２（ｃ）、（ｄ）は鋼管拘束無筋コンクリート製の継ぎ足しブロックを示しており、図２（ｃ）は側面図、図２（ｄ）は正面図である。鋼管拘束無筋コンクリート製の継ぎ足しブロックは、角型鋼管等にコンクリートを充填したものであり、同様にパイプを埋め込むなどしてＰＣマクラギのＰＣ鋼棒と対応する位置に複数の孔（図示の例では４個の孔）５が開けてあり、後述するように、この孔にＰＣ鋼棒を継ぎ足して挿通する。
【０００９】
図３はＰＣマクラギと図２に示した継ぎ足しブロックの接合方法を説明する図であり、説明の便宜上、中心線（ＣＬ）に対して一方の側のみ示している。
ＰＣマクラギ１のＰＣ鋼棒１１の端部には、カプラー１０が接続されている。カプラー１０は、ＰＣ鋼棒を継ぎ足すための金物でネジ孔が形成されており、両端にネジを切ったＰＣ鋼棒１１の両端に接続されている。このカプラー１０と対応する位置に継ぎ足しブロック２の孔５が複数形成されていて、この孔５を通してＰＣ鋼棒１２を継ぎ足して挿通する。そして、継ぎ足したＰＣ鋼棒１２の一端をカプラー１０にネジ込んで接続し、継ぎ足したＰＣ鋼棒１２の他端をブロック端面に設けた反力プレート１３を介してナット１４で締めつけて定着する。このように、ＰＣマクラギに埋め込んだカプラーを介してＰＣ鋼棒１１に対して継ぎ足しＰＣ鋼棒１２を継ぎ足し、ＰＣ鋼棒１２の端部を締めつけて定着することにより、継ぎ足しブロック２はＰＣマクラギ１に一体的に強固に接合され、工事桁としての長期間の使用に耐えることが可能となる。
【００１０】
なお、図３の例のように継ぎ足しブロック端面において定着すると、ブロック端面から外方へ延びるＰＣ鋼棒１２が主桁に当たってしまう場合が起こりうる。このような場合には、図４に示すように、定着面を継ぎ足しブロックの端面より内側（中心線側）とすることが望ましい。例えば、図２（ｃ）、（ｄ）に示した鋼管拘束無筋コンクリート製の継ぎ足しブロックの場合、鋼管内へのコンクリートの充填を中間部までとし、そのコンクリート端面を定着面とする。また、図２（ａ）、（ｂ）の鉄筋コンクリート製の継ぎ足しブロックの場合には、反力プレートが接する定着箇所のみ鉄筋コンクリートを端面より内側となるようにし、その面を定着面とする。
【００１１】
この横桁兼用ＰＣマクラギを用いた工法について説明すると、図１で説明したように、ＰＣマクラギの両端部に継ぎ足しブロックを装着して、横桁１として使用時の必要長さを確保し、既設のマクラギを撤去した状態で軌道の両側に設置した工事桁（主桁）３に取り付ける。こうして軌道を仮受けし、活線で開削工法等により線路下に構造物等を構築する。工事完了後には、主桁３を撤去してＰＣマクラギ１を道床上に設置し、このときＰＣマクラギ両端部の継ぎ足しブロック２を取り外し、道床上で一般に使用されているＰＣマクラギ長と同じ長さにしてマクラギとして使用する。
【産業上の利用可能性】
【００１２】
本発明によれば、継ぎ足しブロックをＰＣマクラギに一体的に強固に接合できるので、列車通過による繰り返し荷重があっても工事桁としての長期間の使用に耐えることが可能となるため、産業上の利用価値は極めて大きい。
【図面の簡単な説明】
【００１３】
【図１】工事桁の横桁兼用ＰＣマクラギを説明する図である。
【図２】継ぎ足しブロックの例を説明する図である。
【図３】ＰＣマクラギと継ぎ足しブロックの接合方法を説明する図である。
【図４】ＰＣマクラギと継ぎ足しブロックの接合方法の他の例を説明する図である。
【符号の説明】
【００１４】
１…ＰＣマクラギ、２…継ぎ足しブロック、３…主桁、１０…カプラー、１１…ＰＣ鋼棒、１２…継ぎ足したＰＣ鋼棒、１３…反力プレート、１４…ナット。
【図１】
2006214219.tif 000003
【図２】
2006214219.tif 000004
【図３】
2006214219.tif 000005
【図４】
2006214219.tif 000006